【手続補正書】
【提出日】平成18年7月27日(2006.7.27)
【手続補正１】
【補正対象書類名】明細書
【補正対象項目名】特許請求の範囲
【補正方法】変更
【補正の内容】
【特許請求の範囲】
【請求項１】  無線通信ネットワークに収容された移動通信局 (ＭＳ１)の位置を特定する方法であって、
移動通信局において複数の無線送信装置(２３、２８)が発信する無線信号それぞれの到着時間を測定し、当該測定には移動通信局に無線信号がいつ到着するかに関する情報を提供することと移動通信局が当該情報に基づいて検索ウインドウ内において無線信号の到着をモニターする(８５)ことを含み、
検索ウインドウの時間内において、移動通信局が同時に信号相関処理と当該移動通信局と通信している少なくとも１つの無線送信装置のピーク測定を行い、
測定された到着時間を使用して移動通信局の位置を特定する方法。
【請求項２】  無線通信ネットワークに収容された無線通信局(ＭＳ１)への無線信号の到着時刻を特定する方法であって、
無線通信ネットワークから、無線信号の内容を特定することはできるが無線信号の内容そのものを開示するものではない情報(６３)を取得し、
当該情報に基づいて無線信号に含まれる情報を特定し(６１)、
無線信号に含まれた情報に基づいて無線信号の到着時刻を測定し、
前記無線通信局は、当該情報に従って、検索ウインドウ時間において無線信号の到着をモニターする(８５)ことを含む方法。  
【請求項３】  前記情報は無線信号の送信タイミングを示す情報を含むものである請求項２に記載の方法。
【請求項４】  前記送信タイミング情報は、無線通信局にとって既知である基準時間(６０)と無線信号を送信する無線送信装置(２３)の基準時間との間の差を示す時間差(ＲＴＤ)情報である請求項３に記載の方法。
【請求項５】  前記情報は無線信号を発信する無線送信装置を示す情報を含む請求項２に記載の方法。
【請求項６】  通信ネットワークがセルラー通信ネットワークである請求項２に記載の方法。
【請求項７】  通信ネットワークがＧＳＭネットワークである請求項２に記載の方法。
【請求項８】  前記通信ネットワークがＧＳＭネットワークであり、前記無線送信装置を示す情報がＧＳＭにおける基地局を特定する基地局識別コード(ＢＳＩＣ)である請求項５に記載の方法。
【請求項９】  無線通信ネットワークにおいて移動通信局(ＭＳ１)の位置を特定するための装置であって、
複数の無線信号がそれぞれいつ到着すると期待されるかを決定する決定手段(６１)と、
無線信号それぞれの到着時刻を測定する無線信号モニター(６５)と、当該モニターは移動通信局に設けられ前記決定手段と接続された入力部を有し、該入力部から当該移動通信局に前記無線信号が到着すると期待される時刻を受け取り、当該モニターは当該情報に基づいて無線信号の到着を検索ウインドウ時間の間だけモニターする装置。
【請求項１０】  前記決定手段は移動通信局に設けられたものである請求項９に記載の装置。
【請求項１１】  前記決定手段は、移動通信局にそれぞれの無線信号が到着すると期待される時間の間隔を決定するものである請求項９に記載の装置。
【請求項１２】  前記決定手段は、前記移動通信局と接続されている無線送信装置(２３)の基準時間(６０)と無線信号を送信する無線信号送信装置の基準時間との差を表す時間差 (ＲＴＤ)情報を受ける入力部を有し、前記決定手段は該時間差情報に基づいて接続された無線送信装置の基準時間に従って、移動通信局にそれぞれの無線信号が到着すると期待される複数の時刻（７４、７５)を決定する請求項９に記載の装置。  
【請求項１３】  通信ネットワークにおける前記無線信号の到着時刻の測定装置であって、
無線信号に含まれる情報を決定することができるが含まれる情報そのものを開示するものではない情報を受信するための入力部(８１)と、
該入力部と接続されて前記実時間差（ＲＴＤ）情報に基づいて無線信号に含まれる情報を特定し、測定検索ウインドウを算出する決定手段(８３)と、
無線信号の到着を測定する無線信号モニター(８５)、当該モニターは前記決定手段と接続されて、前記情報を利用して無線信号の到着時間を測定し、前記検索ウインドウ時間にわたって無線信号の到来をモニターするものである装置。
【請求項１４】  前記情報は無線信号の送信タイミングを含む請求項１３に記載の装置。
【請求項１５】  前記送信タイミング情報は、装置にとって既知である基準時間(８０)と無線信号を発信する無線送信装置(２３)の基準時間の差を表す時間差(ＲＴＤ)情報を含む請求項１４に記載の装置。
【請求項１６】  前記情報は無線信号を発信する無線送信装置に関する情報を含む請求項１３に記載の装置。
【請求項１７】  前記通信ネットワークはＧＳＭネットワークであり、無線送信装置を示す情報はＧＳＭにおいて基地局を特定する基地局識別コード(ＢＳＩＣ)である請求項１６に記載の装置。
【請求項１８】  通信ネットワークがセルラー通信ネットワークである請求項１３に記載の装置。
【請求項１９】  通信ネットワークがＧＳＭネットワークである請求項１３に記載の装置。
【請求項２０】  前記装置は移動無線通信局(ＭＳ１)である請求項１３に記載の装置。
【請求項２１】  前記無線信号は符号分割多元接続(ＣＤＭＡ)信号である請求項２に記載の方法。
【請求項２２】  前記無線信号は符号分割多元接続(ＣＤＭＡ)信号である請求項１３に記載の装置。
【請求項２３】  前記モニタリングステップは、それぞれの無線信号に対して、無線信号を対応する無線送信装置がくり返し送信する第１のコードと対応させ、この対応付けのステップと同時に、前記無線信号を対応する無線送信装置が連続して送信する複数の第２のコードを含むコードパターンと相関を求め、当該コードパターンに含まれる第２のコードは前記第１のコードのくり返し行われる送信と同時に送信されるものである請求項２１に記載の方法。
【請求項２４】  それぞれの無線送信装置に、当該無線送信装置が属するコードグループを示す情報を提供し、さらに移動通信局が当該コードグループ情報に従って前記コードパターンを決定する請求項２３に記載の方法。
【請求項２５】  送信された前記第１と第２のコードを、前記相関付けステップの結果に基づいて検出する前記請求項２３に記載の方法。
【請求項２６】  無線送信装置によってそれぞれ使用される拡散コードを示す情報を提供し、移動通信局は当該拡散コード情報に従ってそれぞれの無線送信装置が使用する拡散コードを決定し、前記モニタリングステップは当該拡散コードを使用して対応する無線送信装置のブロードキャストチャネルの無線信号をモニターする請求項２１に記載の方法。
【請求項２７】  前記無線信号モニターに関連して前記無線信号をモニターするために使用すべきコードを提供するコード発生装置(８７)を有する請求項２２に記載の装置。
【請求項２８】  前記コードは前記無線信号と対応する拡散コードを含む請求項２７に記載の装置。
【請求項２９】  前記コードは前記無線信号が搬送するコードを含む請求項２７に記載の装置。
【請求項３０】  前記コードは対応する無線信号を作成するために無線信号送信装置が使用したコードパターンを含む請求項２９に記載の装置。
【請求項３１】  前記コード作成装置はコードが作成されたコード識別情報を受け取るための入力部を有する請求項２７に記載の装置。
【請求項３２】  前記コード作成装置は移動通信局に設けられている請求項２７に記載の装置。